(57)【要約】【課題】  稼動する時において、騒音の低減やワーク電流値の低下という効果が達成されるとともに、有効に、気流をガイドすることにより、ファンを稼動する時において、エネルギー消耗の低減やファンのワーク効率の向上を実現できる、ファンハブ構造を提供する。【解決手段】  本考案は、適当な場所に環設される凹溝と、当該凹溝に延在するガイド部のハブと、当該ハブの外縁に設置される複数のリーフと、からなり、当該ガイド部は、一端が縮小していく形状で、当該ガイド部の端面が、円弧状である。【選択図】図１
0003107769.tif 000002
【実用新案登録請求の範囲】
【請求項１】
ハブと、
当該ハブの一端にある適当な場所に環設される凹溝と、
上記の凹溝において、一端へ延在し、一端が縮小していく形状で、端面が円弧状である、ガイド部と、
当該ハブの外縁に設置される、複数のリーフと、
を有する、ことを特徴とするファンハブ構造。
【請求項２】
当該ハブの外径は、当該ガイド部の外径より大きい、ことを特徴とする請求項１記載のファンハブ構造。
【請求項３】
当該ガイド部は、流線型である、ことを特徴とする請求項１記載のファンハブ構造。
【請求項４】
当該リーフは、羽根状である、ことを特徴とする請求項１記載のファンハブ構造。
【請求項５】
当該リーフは、曲面状である、ことを特徴とする請求項１記載のファンハブ構造。
【請求項６】
当該リーフは、斜面状である、ことを特徴とする請求項１記載のファンハブ構造。
【請求項７】
当該リーフは、弧面状である、ことを特徴とする請求項１記載のファンハブ構造。
【請求項８】
当該リーフは、奇数である、ことを特徴とする請求項１記載のファンハブ構造。
【請求項９】
当該リーフは、偶数である、ことを特徴とする請求項１記載のファンハブ構造。
【請求項１０】
ハブと、
ハブの一端に設置され、一端が縮小していく形状で、端面が円弧状である、ガイド部と、
当該ハブの外縁に設置される、複数のリーフと、
を有する、ことを特徴とする請求項１記載のファンハブ構造。
【請求項１１】
当該ハブの外径は、当該ガイド部の外径より大きい、ことを特徴とする請求項１0記載のファンハブ構造。
【請求項１２】
当該ガイド部は、流線型である、ことを特徴とする請求項１0記載のファンハブ構造。
【請求項１３】
当該リーフは、羽根状である、ことを特徴とする請求項１0記載のファンハブ構造の改良。
【請求項１４】
当該リーフは、曲面状である、ことを特徴とする請求項１0記載のファンハブ構造。
【請求項１５】
当該リーフは、斜面状である、ことを特徴とする請求項１0記載のファンハブ構造。
【請求項１６】
当該リーフは、弧面状である、ことを特徴とする請求項１0記載のファンハブ構造の改良。
【請求項１７】
当該リーフは、奇数である、ことを特徴とする請求項１0記載のファンハブ構造。
【請求項１８】
当該リーフは、偶数である、ことを特徴とする請求項１0記載のファンハブ構造。
【考案の詳細な説明】
【技術分野】
【０００１】
本考案は、ファンハブ構造に関し、特に、当該ファンが稼動する時において、騒音の低減やワーク電流値の低下という効果が、達成されるとともに、有効に、気流をガイドすることにより、ファンを稼動する時において、エネルギー消耗の低減やファンのワーク効率の向上を実現できるものに関する。
【背景技術】
【０００２】
一般の、従来のファンハブ構造（図５のように）は、ハブ３と、当該ハブ３の一端面である平面部３１と、当該ハブ３の周縁に接続される一つ以上のリーフ３２と、がある。
【０００３】
しかしながら、上記のファンハブ構造は、モータ（図示せず）に組み立てられる、気流をガイドするためのものとされるが、当該ハブの一端面は、平面部３１であるため、気流が当該ハブ３の上面を介して、当該リーフ３２へ流れる時，当該ハブ３に、当該気流をガイドする構造がないから、当該ハブ３の上面を通過する気流が、乱流になって、当該気流がスムーズに導出されず、エネルギーの消耗を大きくして、ファンの効率を悪化させ、そのため、一般の、従来のファンハブ構造は、ユーザーのニーズに満足できない。
【考案の開示】
【考案が解決しようとする課題】
【０００４】
本考案の主な目的は、ハブへ流される気流がスムーズに導出されないため、エネルギーの消耗を大きくして、ファンの効率を悪化させる問題を解決して、ファンが稼動する時において、騒音の低減やワーク電流値の低下という効果が達成されるとともに、有効に、気流をガイドすることにより、ファンを稼動する時において、エネルギー消耗の低減やファンのワーク効率の向上を実現できるものを提供する。
【課題を解決するための手段】
【０００５】
本考案のファンハブ構造は、ハブと、当該ハブの一端にある適当な場所に環設される凹溝と、上記の凹溝において、一端へ延在し、一端が縮小していく形状で、端面が円弧状である、ガイド部と、当該ハブの外縁に設置される、複数のリーフと、を有する。
【考案の効果】
【０００６】
本考案のファンハブ構造は、稼動する時において、騒音の低減やワーク電流値の低下という効果が達成されるとともに、有効に、気流をガイドすることにより、ファンを稼動する時において、エネルギー消耗の低減やファンのワーク効率の向上を実現できるという効果を有する。
【考案を実施するための最良の形態】
【０００７】
図１は、本考案の立体外観概念図である。図のように、本考案は、ファンハブ構造の改良であり、ハブ１と、複数のリーフ２とからなることにより、当該ファンが稼動する時おいて、騒音の低減やワーク電流値の低下という効果が達成されるとともに、有効に、気流をガイドすることにより、ファンを稼動する時において、エネルギー消耗の低減やファンのワーク効率の向上を実現できる。
【０００８】
上記のハブ１は、その一端に、適当な場所に凹溝１１が環設され、当該凹溝１１に、ガイド部１２が延在し、当該ガイド部１２が、流線型であり、当該ガイド部１２は、一端が縮小していく形状で、当該ガイド部１２の端面が、円弧状であり、また、当該ハブ１の外径は、当該ガイド部１２の外径より大きい。
【０００９】
当該複数のリーフ２は、当該ハブ１の外縁に設置され、当該リーフ２は、羽根状や、曲面状、斜面状或いる弧面状であり、また、当該リーフ２は、奇数でもいいし、偶数でもいい。これにより、上記の構造改良は、新しいファンハブ構造の改良を構成できる。
【００１０】
図２は、本考案の使用状態の断面概念図である。図のように、本考案がモータ（図示せず）に組み立てられて回転する時、当該気流は、当該ハブ１の一端にあるガイド部１２から吸入され、当該ファンが、回転を開始する時、まず、当該気流が、当該凹溝１１にガイドされ、当該凹溝１１に気流が一杯になった時、当該続けて吸入される気流は縮小していく、円弧状の端面を有するガイド部１２によって、有効にガイドされ、これにより、騒音の低減やワーク電流値の低下という効果が達成されるとともに、有効に気流をガイドすることにより、ファンを稼動する時において、エネルギー消耗の低減やファンのワーク効率の向上を実現できる。
【００１１】
図３、４は、それぞれ、本考案の実施例の立体外観概念図で、本考案の実施例の使用状態の断面概念図である。図のように、当該ハブ１aの一端にはガイド部１２aがあり、当該ガイド部１２aは流線型であり、当該ガイド部１２aの一端は縮小していく形状で、当該ガイド部１２aの端面は円弧状であり、また、当該ハブ１の外径は当該ガイド部１２aの外径より大きい。
【００１２】
複数のリーフ２は当該ハブ１aの外縁に設置され、また、当該リーフ２は羽根状や曲面状、斜面状或いは弧面状であり、また、当該リーフ２は奇数でもいいし、偶数でもいい。これにより、当該ファンは、稼動する時において、騒音の低減やワーク電流値の低下という効果が達成されるとともに、有効に、気流をガイドすることにより、ファンを稼動する時において、エネルギー消耗の低減やファンのワーク効率の向上を実現できる。
【００１３】
回転する時、当該気流は、当該ハブ１aの一端にあるガイド部１２aから吸入され、当該気流は、縮小していく、円弧状端面を有するガイド部１２aにより、絶えずに、有効にガイドされ、騒音の低減やワーク電流値の低下という効果が達成されるとともに、有効に気流をガイドすることにより、ファンを稼動する時において、エネルギー消耗の低減やファンのワーク効率の向上を実現できる。
【００１４】
以上の説明は、ただ、本考案のより良い実施例であり、本考案の実施範囲は、其れによって制限されず、本考案の実用新案請求の範囲や明細書の内容に従う、等価な変更や修正等は、すべて本考案の実用新案請求の範囲に含まれている。
【図面の簡単な説明】
【００１５】
【図１】本考案の立体外観の概念図である。
【図２】本考案の使用状態の断面概念図である。
【図３】本考案の実施例の立体外観の概念図である。
【図４】本考案の実施例の使用状態の断面概念図である。
【図５】従来の使用状態の断面概念図である。
【符号の説明】
【００１６】
（本考案部分）：
１、１a       ハブ
１１          凹溝
１２、１２a   ガイド部
２            リーフ
（従来部分）：
３            ハブ
３１          平面部
３２          リーフ
【図１】
0003107769.tif 000003
【図２】
0003107769.tif 000004
【図３】
0003107769.tif 000005
【図４】
0003107769.tif 000006
【図５】
0003107769.tif 000007